(57)【要約】【課題】  従来の超音波送受信装置では、超音波振動子からの超音波信号を水中に照射することにより、データを送受信しているが、板、管体、壁間での通信をすることはできないという問題がある。【解決手段】  ケース１の端部に円筒状の超音波振動子２が装着され、この超音波振動子２を覆うように音響ゴム３が装着され、この音響ゴム３と超音波振動子２の間に伝播材４が挿入され、さらに、ケース１内に超音波振動子２に発振出力を印加する発振器５が装着され、又、発振器５と超音波振動子２の間に変調器６が装着され、この変調器６はケース１の外部に装着されたマイクロフォン７に接続され、さらに、超音波振動子２に復調器８が接続され、この復調器８はケース１の外部に装着されたスピーカー９に接続されている。【選択図】図１
2006033640.tif 000002
【特許請求の範囲】
【請求項１】
ケースに固定された超音波振動子と、該超音波振動子を覆うようにケースに装着された音響ゴムと、該音響ゴムと前記超音波振動子の間に介在された振動伝播材と、前記ケース内に装着され、前記超音波振動子から照射される超音波が発生するように発振出力が印加される発振器と、発振器の発振出力を変調する変調器と、該変調器に接続されたマイクロフォンと、前記超音波振動子に接続された復調器と、該復調器に接続されたスピーカと、前記音響ゴムの端部に伝播媒体を介して接触される通信伝播材からなる超音波送受信装置。
【請求項２】
前記音響ゴムの端部に装着される伝播媒体は蛇腹状に構成されていることを特徴とする請求項１記載の超音波送受信装置。
【発明の詳細な説明】
【技術分野】
【０００１】
本発明は、超音波を音声で変調して、板、管体、管体を流れる媒体、棒、壁を介して超音波を送受信することにより、音声を送受信することができる超音波送受信装置に関するものである。
【背景技術】
【０００２】
従来、水中で超音波によりデータを送受信する超音波通信装置としては、超音波送受信装置と電話回線との間にパーソナルコンピュータを挿入して、電話回線からの音声等のアナログ信号をパーソナルコンピュータでデジタル信号に変換し、このデジタル信号を増幅して超音波信号に変換して水中に照射し、この水中に照射された超音波信号を水中の離れた位置で、同様に超音波送受信装置にパーソナルコンピュータを接続し、さらに電話回線に接続したものが提案されている。
【０００３】
しかしながら、このような従来の超音波送受信装置では、超音波振動子からの超音波信号を水中に照射することにより、データを送受信しているが、板、管体、壁間での通信をすることはできないという問題がある。
【特許文献１】特開平７−１０７０４９号公報
【発明の開示】
【発明が解決しようとする課題】
【０００４】
解決しようとする問題点は、従来の超音波送受信装置では、水中でのデータの送受信に適用できるが、板、管体、壁間での通信をすることはできないという点である。
【課題を解決するための手段】
【０００５】
本発明では、超音波振動子はケースに固定され、この超音波振動子を覆うようにケースに音響ゴムが装着され、又、この音響ゴムと超音波振動子の間に振動伝播材が介在され、さらに、ケース内に、超音波振動子から照射される超音波が発生させる発振器が装着され、又、発振器の発振出力を変調する変調器と、この変調器にマイクロフォンが接続され、さらに、超音波振動子に復調器が接続され、この復調器にスピーカが接続され、音響ゴムの端部に伝播媒体を介して通信伝播材が触されている。
【発明の効果】
【０００６】
本発明の超音波送受信装置では、超音波振動子を音響ゴム及び伝播材内に内蔵することにより、金属板、合成樹脂板、金属棒、合成樹脂棒、金属壁、コンクリート、管体及び管体を流れる媒体等を介して、超音波振動を音声で変調して送受信することができ、船舶やや金庫等の隔離された室内間についても、金属板、金属棒、壁、管体及び管体を流れる媒体等を介して通信が可能であり、事故や災害等の非常通信装置として利用することができる。
【実施例】
【０００７】
図１は本発明の実施例の超音波送受信装置の概略構成図で、ケース１の端部に円筒状の超音波振動子２が装着され、この超音波振動子２を覆うように音響ゴム３が装着され、この音響ゴム３と超音波振動子２の間に伝播材４が挿入され、さらに、ケース１内に超音波振動子２に発振出力を印加する発振器５が装着され、又、発振器５と超音波振動子２の間に変調器６が装着され、この変調器６はケース１の外部に装着されたマイクロフォン７に接続され、さらに、超音波振動子２に復調器８が接続され、この復調器８はケース１の外部に装着されたスピーカー９に接続されている。
【０００８】
このように構成された本実施例の超音波送受信装置では、超音波振動子２の超音波照射側の音響ゴム３の端部を管体１０に接触させて、マイクロフォン７に装着されたスイッチ（図示せず）をオンにして、話をすると、マイクロフォン７に入力された音声によって、発振器５の発振出力が変調器８で変調され、この変調された出力によって、超音波振動子２から変調された超音波は伝播媒体１０を介して、管体１１に照射される。
【０００９】
図２に示すように、超音波送受信装置Ａと同じ構成の超音波送受信装置Ｂが管体１１の離れた位置で接触されていると、超音波送受信装置Ａから照射された超音波が管体１０を介して超音波送受信装置Ｂの超音波振動子２に入力され、この変調された超音波は超音波振動子２で電気信号に変換され、復調器８で音声信号に変換されてスピーカー９に入力されると、スピーカー９から超音波送受信装置Ｂで話した音声が出力されるので、超音波送受信装置ＡとＢの間で会話が成立し、会話通信を行うことができ、管体１１の代わりに、金属板、合成樹脂板、金属棒、合成樹脂棒、金属壁、コンクリート、管体及び管体を流れる媒体等を使用することができる。
【００１０】
図３は本発明の他の実施例の超音波送受信装置の概略構成図で、１はケース、２は超音波振動子、３は音響ゴム、４は伝播材、５は発振器、６は変調器、７はマイクロフォン、８は復調器、９はスピーカーであり、これらの構成は上記実施例と同じであるので、説明は省略するが、本実施例では、伝播媒体１０の代わりに音響ゴムで構成された蛇腹１２が音響ゴム３と一体に構成され、この蛇腹１２の内部に伝播材１３が挿入されている。
【００１１】
このように構成された本実施例では、上記実施例と同様に、音声通信を行うことができ、又、蛇腹によって超音波送受信装置Ａ、Ｂを自由に接触させたり、固着することができる。
【産業上の利用可能性】
【００１２】
なお、本実施例では、超音波振動子２として、円筒状の圧電体振動子を使用したが、プレート型、ランジュバン型、円柱型等を使用することができ、又、音響ゴム３を管体１１に接着したり、蛇腹１２を介して管体１１に接着しているが、磁石によって、ワンタッチで固定してもよい。
【図面の簡単な説明】
【００１３】
【図１】本発明の実施例の超音波送受信装置の概略構成図である。
【図２】図１の超音波送受信装置を伝播媒体を介して設置した通信方式を示した図である。
【図３】本発明の他の実施例の超音波送受信装置の概略構成図である。
【符号の説明】
【００１４】
１                ケース
２                超音波振動子
３                音響ゴム
４                伝播材
５                発振器
６                変調器
７                マイクロフォン
８                復調器
９                スピーカー
１０              伝播媒体
１１              管体
１２              蛇腹
１３              伝播材
【図１】
2006033640.tif 000003
【図２】
2006033640.tif 000004
【図３】
2006033640.tif 000005